(57)【要約】【課題】本発明は、既存のシートベルトに後付けして、着脱性や安全性の向上を図ったシートベルトアダプタを提供するものである。【解決手段】本発明は、シートベルト２００の装着時における腹部押さえベルト部分２００ａに位置するように装着される可撓性の帯状サポータ１１０とこの端部寄りでタングプレート２１０の近傍に取り付けられる可撓性のグリップ１２０とを有してなり、シートベルト非装着時には、グリップ１２０が車両ピラーのタングプレート保持位置付近から突出して保持されるシートベルトアダプタ１００にあり、この突出したグリップ１２０により、健常者は勿論のこと、高齢者や子供、身障者にあっても、容易にグリップ１２０を握ることができる。【選択図】  図６
2004224169.tif 000002
【特許請求の範囲】
【請求項１】
シートベルト装着時の腹部押さえベルト部分に位置するように装着される可撓性の帯状サポータと当該帯状サポータの端部寄りでタングプレート近傍に取り付けられる可撓性のグリップとを有してなり、シートベルト非装着時には、前記グリップが車両ピラーのタングプレート保持位置付近から突出して保持されることを特徴とするシートベルトアダプタ。
【請求項２】
前記帯状サポータとグリップのうち、少なくとも帯状サポータが、布地、布製ネット地、可撓性の樹脂シート地、可撓性の樹脂ネットシート地、皮革地から選ばれる一つの生地であることを特徴とする請求項１記載のシートベルトアダプタ。
【請求項３】
前記帯状サポータが、帯状の生地とこれをＵ字状に折り込んだ長手方向の両縁部に設けたファスナとからなることを特徴とする請求項１又は２記載のシートベルトアダプタ。
【請求項４】
前記帯状サポータの帯状の生地部分にクッション層を設けたことを特徴とする請求項１、２又は３記載のシートベルトアダプタ。
【請求項５】
シートベルト装着時の胸部押さえベルト部分側で前記タングプレート近傍に装着される補助サポータを設け、当該補助サポータを前記帯状サポータのタングプレート近傍付近に連係させたことを特徴とする請求項１、２、３又は４記載のシートベルトアダプタ。
【請求項６】
前記帯状サポータの端部寄りにタングプレートの装着穴を設け、当該装着穴にタングプレートを装着させたことを特徴とする請求項１、２、３又は４記載のシートベルトアダプタ。
【請求項７】
前記帯状サポータの端部寄りにタングプレートの装着帯紐を設け、当該装着帯紐でタングプレートを装着させたことを特徴とする請求項１、２、３又は４記載のシートベルトアダプタ。
【請求項８】
前記請求項１〜７のいずれかにおいて、グリップの取り付けを着脱自在としたことを特徴とするシートベルトアダプタ。
【請求項９】
前記グリップの取付け位置に幅を持たせて、グリップの取付け位置を調整できるようにしたことを特徴とする請求項８記載のシートベルトアダプタ。
【発明の詳細な説明】
【０００１】
【発明の属する技術分野】
本発明は、既存のシートベルトに後付けして、着脱性や安全性の向上を図ったシートベルトアダプタに関するものである。
【０００２】
周知のように、シートベルトの装着にあたっては、装着者が、車両のピラー部分（フロントシートではＢピラー部分）に保持されている、タングプレートを持ってベルト部分を引き出し、所定の長さだけ繰り出して、座席側のバックルに差し込む必要がある。また、シートベルトの装着解除時には、バックル側の解除ポタンを押せば、ベルト部分はほぼ自動的に所定の位置に復帰する。
【０００３】
このようなシートベルトの着脱は、健常者にとっても、通常後ろ向きで行うため、やり難い面がある一方、高齢者や子供、身障者にあっては、後ろ向きで、しかも、タングプレート自体が比較的小さいものであるため、うまく引き出せないことがよくある。
【０００４】
このため、従来においても、タングプレートを引き出す際、それを補助するアダプタが提案されている。例えば、タングプレートに棒状の取手を付けたり、或いは、ベルト部分にプレート状の案内具本体を別に取り付けたり（特許文献１参照）、さらには、タングプレート部分に樹脂成形品で、その先端に球状の把持部を有する棒状体を取り付けたもの（特許文献２参照）などがある。
【０００５】
【特許文献１】
特願平１１−０５９３２６号  １〜３頁  図１〜図２
【特許文献２】
特開２００１−３１５６１５号  １〜６頁  図２〜図３
【０００６】
【発明が解決しようとする課題】
ところが、上記従来構造のアダプタでは、その機能から、いずれもある程度の強度が必要とされるため、金属部材や樹時製品では硬度の高いものが用いられている。つまり、基本的には、硬い構造材で構成する必要があるため、装着時に他の車両部品や部位と干渉する恐れがある。特に、その突出量を大きくすれば、その分だけベルトの引き出しがし易くなる訳であるが、逆に、硬い構造のアダプタ部分の突出量が大きい分だけ、干渉や危険性が増すという懸念がある。
【０００７】
また、これらのアダプタは、車両の走行中で、シートベルトの非装着時（例えば、助手席が空席の不使用時など）には、車両のピラー部分と干渉して、不要な音を発生させる原因ともなる。さらに、その製造にあたっても、上記従来構造のものの場合、金属プレス品や樹脂成形品として提供する必要があり、金型や樹脂型が必要であって、コスト上昇の原因ともなる。
【０００８】
本発明は、このような従来の問題点に鑑みてなされたもので、基本的には、布地などの可撓性の生地で、ベルト部分に装着される帯状サポータやタングプレート近傍に取り付けられるグリップを作り、これにより、従来の上記問題点を解消したシートベルトアダプタを提供せんとするものである。
【０００９】
【課題を解決するための手段】
請求項１記載の本発明は、シートベルト装着時の腹部押さえベルト部分に位置するように装着される可撓性の帯状サポータと当該帯状サポータの端部寄りでタングプレート近傍に取り付けられる可撓性のグリップとを有してなり、シートベルト非装着時には、前記グリップが車両ピラーのタングプレート保持位置付近から突出して保持されることを特徴とするシートベルトアダプタにある。
【００１０】
請求項２記載の本発明は、前記帯状サポータとグリップのうち、少なくとも帯状サポータが、布地、布製ネット地、可撓性の樹脂シート地、可撓性の樹脂ネットシート地、皮革地から選ばれる一つの生地であることを特徴とする請求項１記載のシートベルトアダプタにある。
【００１１】
請求項３記載の本発明は、前記帯状サポータが、帯状の生地とこれをＵ字状に折り込んだ長手方向の両縁部に設けたファスナとからなることを特徴とする請求項１又は２記載のシートベルトアダプタにある。
【００１２】
請求項４記載の本発明は、前記帯状サポータの帯状の生地部分にクッション層を設けたことを特徴とする請求項１、２又は３記載のシートベルトアダプタにある。
【００１３】
請求項５記載の本発明は、シートベルト装着時の胸部押さえベルト部分側で前記タングプレート近傍に装着される補助サポータを設け、当該補助サポータを前記帯状サポータのタングプレート近傍付近に連係させたことを特徴とする請求項１、２、３又は４記載のシートベルトアダプタにある。
【００１４】
請求項６記載の本発明は、前記帯状サポータの端部寄りにタングプレートの装着穴を設け、当該装着穴にタングプレートを装着させたことを特徴とする請求項１、２、３又は４記載のシートベルトアダプタにある。
【００１５】
請求項７記載の本発明は、前記帯状サポータの端部寄りにタングプレートの装着帯紐を設け、当該装着帯紐でタングプレートを装着させたことを特徴とする請求項１、２、３又は４記載のシートベルトアダプタにある。
【００１６】
請求項８記載の本発明は、前記請求項１〜７のいずれかにおいて、グリップの取り付けを着脱自在としたことを特徴とするシートベルトアダプタにある。
【００１７】
請求項９記載の本発明は、前記グリップの取付け位置に幅を持たせて、グリップの取付け位置を調整できるようにしたことを特徴とする請求項８記載のシートベルトアダプタにある。
【００１８】
【発明の実施の形態】
図１〜図３は、本発明に係るシートベルトアダプタの一実施例を示したものである。このアダプタ１００は、シートベルト装着時の腹部押さえベルト部分に位置するように装着される可撓性の帯状サポータ１１０と、この帯状サポータ１１０の端部寄りで、シートベルト側の装着金具である、タングプレート近傍に取り付けられる可撓性のグリップ１２０とを有してなる。
【００１９】
帯状サポータ１１０とグリップ１２０は、可撓性であれば、特にその材質は問わないが、少なくとも帯状サポータ１１０側は、布地（不織布なども含む）、布製ネット地、可撓性の樹脂シート地、可撓性の樹脂ネットシート地、皮革地などの生地で作ることが望ましい。また、グリップ１２０側にあっては、これらの生地の他に、可撓性に富む樹脂製のパイプや充実体の紐、縄状のもの、皮革製の帯びや紐、縄状のものなどであってもよい。
【００２０】
帯状サポータ１１０の構造は、ベルト部分に装着できる構造であれば、特に問わないが、例えば、図示のように、帯状の生地をＵ字状に折り込んだ長手方向の両縁部に、操作スライダ１３１が一方のチャック列から取り外せるタイプ（オープンタイプ）のファスナ１３０を設けて袋状にし、この中にシートベルトのベルト部分を入れればよい。なお、このスライダ付きのファスナ１３０に替えて、圧着方式の着脱自在なマジックファスナ、さらには、複数のボタンとボタン穴、ホックなどとすることもできる。
【００２１】
この帯状サポータ１１０へのグリップ１２０の取り付けは、縫い付けなどで行えばよく、また、帯状サポータ１１０の表地の内側には、好ましくは、図４に示すように、スボンジや発泡樹脂などの適当なクッション層１１１を、嵩張らない範囲で、設けるとよい。
【００２２】
このようにしてなる本発明のシートベルトアダプタ１００は、図５に示すように、帯状サポータ１１０がベルト部分に装着された状態で、シートベルト２００のタングプレート２１０が、車両のＢピラー３００の所定の位置（保持位置）にあるとき、グリップ１２０は、車両の前方に突出して保持される。
【００２３】
このグリップ１２０の大きさは、タングプレート２１０に比較してかなり大きく、しかも、前方に突出しているため、視認され易く、後ろ向きであっても、健常者は勿論のこと、高齢者や子供、身障者でも、容易に握ることができる。また、このとき、グリップ１２０自体が可撓性に富む布地などからなるため、握り易く、高い安全性も確保される。例えば、従来の硬い構造のアダプタの場合、装着者がその引き出し時、勢いよく手を後方に振ったりしたとき、グリップ自体に強く衝突したりして、危険なことも懸念される。
【００２４】
このスムーズに握れたグリップ１２０を引いて、ベルト部分を引き出し、所定の長さだけ繰り出したら、タングプレート２１０を、図６に示すように、座席側方のバックル２２０に差し込めば、シートベルトの装着は完了する。
この引き出し時にあっても、グリップ１２０が可撓性に富む布地などからなるため、他の車両部品や部位と干渉する恐れがなく、高い安全性が確保される。
【００２５】
このシートベルトの装着時、帯状サポータ１１０は、丁度シートベルト２００の腹部押さえベルト部分２００ａに位置して、装着者の腹部に密着する。
このため、腹部押さえベルト部分２００ａに対して、帯状サポータ１１０自体が一種のクッション機能を果たすこととなり、装着者の腹部に対して、柔らかな当接が得られる。従って、長時間のベルト装着においても、必要以上に装着者の腹部に食い込むことなどがなく、快適な着座が得られる。勿論、上記したように、帯状サポータ１１０側にクッション層１１１を設けておけば、より良好なクッション機能が得られる。このようなクッション機能は、事故時などの衝撃時に対して、装着者側の負担を軽減する効果も得られる。
【００２６】
また、タングプレート２１０の近傍に位置するグリップ１２０も、上記したように、可撓性に富む布地などからなるため、他の車両部品や部位と干渉する恐れもなく、何ら邪魔になることもない。逆に、上記したように、このグリップ１２０が、タングプレート２１０に比較してかなり大きいため、シートベルトの解除時、タングプレート２１０の存在位置を示唆する目印としての機能も得られる。タングプレート２１０やバックル２２０が、装着者の着衣や手荷物などに埋もれて、その存在位置が視認し難いことがよくあるが、大きく突出したグリップ１２０の目印機能により、これらの不都合が解消される。なお、従来の硬い構造のアダプタの場合には、これ自体が邪魔になり、危険なことも懸念される。
【００２７】
このグリップ１２０は、例えば、図７に示すように、帯状サポータ１１０の表面側とグリップ１２０の裏面側に互い結合される、マジックファスナ１１２、１２１を設けることで、着脱自在に取り付けることもできる。
着脱自在とすれば、搭乗者に高齢者や子供、身障者などがいないときに、グリップ１２０自体を簡単に取り外しておくことができる。また、帯状サポータ１１０のマジックファスナ領域（幅）Ｌを、大きめに確保しておけば、シートベルトの非装着時における、車両のＢピラー３００部分でのグリップ１２０の保持高さを、適宜調整することができる。例えば、小柄の高齢者や子供などに対して、予め低めの位置に保持させておくことができる。なお、グリップ１２０の着脱自在としては、マジックファスナ１１２、１２１に限定されず、複数のボタンとボタン穴、ホックなどで対応することもできる。
【００２８】
また、上記したように、袋状の帯状サポータ１１０がオープンタイプのファスナ１３０などの採用により、開ける構造の場合、ユーザーは、後付けで、簡単にシートベルト２００側に取り付けることができる。なお、帯状サポータ１１０を単なる袋状とした場合には、一旦シートベルト２００の取付け構造部分を分解することで、取り付けることができる。また、帯状サポータ１１０を単なる帯状のものとした場合には、このものとシートベルト２００間にマジックファスナを取り付けて、着脱自在に取り付けるようにすることもできる。
【００２９】
この帯状サポータ１１０は、シートベルト２００のベルト部分にある程度強く装着すれば、それ自体容易に動かないものの、この移動をより確実に防止するためには、適当な移動防止手段を設けるとよい。例えば、図８に示すように、シートベルト装着時の胸部押さえベルト部分２００ｂに相当する側で、タングプレート２１０の近傍に補助サポータ１４０を取り付け、これを帯状サポータ１１０のタングプレート近傍付近に連係（結合）させればよい。なお、補助サポータ１４０自体のシートベルト２００側への装着は、特に問わないが、例えば、図９に示すように、ボタン１４１とボタン穴１４２により行うことができる。勿論、マジックファスナやホックなどで行ってもよい。
【００３０】
さらに、図１０に示すように、帯状サポータ１１０の表面側で、タングプレート近傍付近にタングプレート用の装着穴１１３を設け、これにタングプレート２１０を嵌め込んで、帯状サポータ１１０の移動防止手段としてもよい。
【００３１】
また、図１１〜図１２に示すように、帯状サポータ１１０の端部寄りに、好ましくは２本のタングプレートの装着帯紐１１４を設け、この装着帯紐１１４でタングプレート２１０を装着させ、それらをホック１１５などで止めることで、帯状サポータ１１０の移動防止手段としてもよい。
【００３２】
【発明の効果】
（１）先ず、本発明に係るシートベルトアダプタは、シートベルト装着時の腹部押さえベルト部分に装着される可撓性の帯状サポータと、これの端部寄りでタングプレート近傍に取り付けられる可撓性のグリップとを基本構成とし、グリップ自体も比較的大きいことから、健常者は勿論のこと、高齢者や子供、身障者にあっても、容易にグリップを握ることができ、その後のベルトの引き出しも、スムーズに行うことがきる。
【００３３】
（２）また、帯状サポータも、グリップも、可撓性に富む布地などからなるものであるため、車両の走行中で、車両のピラー部分に吊られた状態でも、他の車両部品や部位と干渉することがなく、不要な騒音の発生源となることもなく、高い安全性が得られる。
【００３４】
（３）また、シートベルト装着時には、可撓性の帯状サポータが装着者の腹部押さえベルト部分に装着されるため、帯状サポータ自体によるクッション機能が得られる。特に、帯状サポータ部分にクッション層を設けた場合には、より大きなクッション機能が得られる。これにより、装着者の腹部への過度の食い込みが防止でき、大きな衝撃時には、負荷の軽減により、高い安全性が得られる。
【００３５】
（４）また、このシートベルト装着時、比較的大きいグリップ自体が、シートベルトのタングプレート近傍に位置するため、装着者の着衣や手荷物などに埋もれ易い、タングプレートの存在位置を示唆する目印機能も得られる。勿論、グリップ自体が、上記したように、可撓性に富む布地などからなるため、他の車両部品や装着者など干渉することがなく、高い安全性が得られる。
【００３６】
（５）また、帯状サポータを、シートベルトに対して着脱自在な構造とすれば、後付けを簡単かつ迅速に行うことができる。
【００３７】
（６）また、グリップを、帯状サポータに対して着脱自在な構造とすれば、不要なときには、取り外したり、装着者の背丈に合わせて、その保持位置を調整することができる。例えば、小柄の高齢者や子供などに対して、予め低めの保持位置とすることができる。
【００３８】
（７）また、帯状サポータ側に移動防止手段を採用すれば、例えば、シートベルト装着時の胸部押さえベルト部分側で、タングプレート近傍に装着される補助サポータを設けるなどすれば、長期の使用にあっても、位置ずれすることなく、常に良好な状態で使用することができる。
【図面の簡単な説明】
【図１】本発明に係るシートベルトアダプタの一実施例になる全体を示した平面図である。
【図２】図１のシートベルトアダプタの側面図である。
【図３】図１のシートベルトアダプタにおけるグリップ部分での縦断面図である。
【図４】図１のシートベルトアダプタにおける帯状サポータ部分での拡大縦断面図である。
【図５】図１のシートベルトアダプタが装着されたシートベルトの非装着時の状態を示した斜視図である。
【図６】図１のシートベルトアダプタが装着されたシートベルトの装着時の状態を示した説明図である。
【図７】本発明に係るシートベルトアダプタの他の実施例になるグリップの着脱手段を示した部分拡大図である。
【図８】本発明に係るシートベルトアダプタの他の実施例になる帯状サポータの移動防止手段を示した説明図である。
【図９】図８の移動防止手段を示した展開拡大図である。
【図１０】本発明に係るシートベルトアダプタの他の実施例になる帯状サポータの移動防止手段を示した説明図である。
【図１１】本発明に係るシートベルトアダプタの他の実施例になる帯状サポータの移動防止手段を示した説明図である。
【図１２】図８の移動防止手段を示した展開拡大図である。
【符号の説明】
１００                シートベルトアダプタ
１１０                帯状サポータ
１１１                クッション層
１１２                マジックファスナ
１１３                タングプレート用の装着穴
１１４                タングプレートの装着帯紐
１２０                グリップ
１２１                マジックファスナ
１３０                ファスナ
２００                シートベルト
２００ａ              腹部押さえベルト部分
２００ｂ              胸部押さえベルト部分
２１０                タングプレート
２２０                バックル
【図１】
2004224169.tif 000003
【図２】
2004224169.tif 000004
【図３】
2004224169.tif 000005
【図４】
2004224169.tif 000006
【図５】
2004224169.tif 000007
【図６】
2004224169.tif 000008
【図７】
2004224169.tif 000009
【図８】
2004224169.tif 000010
【図９】
2004224169.tif 000011
【図１０】
2004224169.tif 000012
【図１１】
2004224169.tif 000013
【図１２】
2004224169.tif 000014